(57)【特許請求の範囲】
【請求項１】
ITU-R BT.709規格の狭色域空間に対応した入力映像信号を該ITU-R BT.709規格の狭色域空間よりも広色域の色空間にマッピングし、該マッピング後の出力映像信号の輝度を調整する輝度調整部を備えた表示装置であって、
該表示装置で表示可能な色空間の範囲を示すディスプレイラインと、前記ITU-R BT.709規格の狭色域空間に対応した入力映像信号に含まれる物体色と発光色の境界を示すターゲットラインと、前記広色域の色空間に対応した出力映像信号に含まれる仮想的な物体色と発光色の境界を示し且つ前記ターゲットラインとは異なる判別ラインとを設定するライン設定部を備え、
前記ディスプレイライン、前記ターゲットライン、及び前記判別ラインは、色相毎に輝度と彩度の関数として設定され、
前記輝度調整部は、前記出力映像信号を構成する輝度調整前の画素の色相、彩度、及び輝度を検出し、Ｌ′を前記出力映像信号の輝度調整後の画素の輝度、Ｌを前記出力映像信号の輝度調整前の画素の輝度、Ｌ０を任意の彩度のときの前記ディスプレイラインの輝度、Ｌ１を任意の彩度のときの前記判別ラインの輝度、Ｌ２を任意の彩度のときの前記ターゲットラインの輝度としたときに、Ｌ＜Ｌ１である場合、
Ｌ′＝Ｌ×Ｌ２／Ｌ１
に基づいて、Ｌ′がＬ２よりも低くなるように調整し、
また、Ｌ≧Ｌ１である場合、
Ｌ′＝｛（Ｌ−Ｌ１）×（Ｌ０−Ｌ２）／（Ｌ０−Ｌ１）｝＋Ｌ２
に基づいて、Ｌ′がＬよりも低く且つＬ２よりも高くなるように調整することを特徴とする表示装置。
【請求項２】
請求項１に記載の表示装置において、前記輝度調整部は、前記ディスプレイライン及び前記ターゲットラインをルックアップテーブルとして保持することを特徴とする表示装置。
【請求項３】
請求項２に記載の表示装置において、前記ディスプレイライン及び前記ターゲットラインは、所定の色相毎に設定されることを特徴とする表示装置。
【請求項４】
請求項３に記載の表示装置において、前記輝度調整部は、前記画素の色相が前記所定の色相以外であった場合、前記画素の色相に隣接し且つ前記ディスプレイライン及び前記ターゲットラインが設定された２つの色相の輝度を、前記ディスプレイライン、前記ターゲットライン、及び前記判別ラインに基づいて調整し、該調整した前記２つの色相の輝度に基づいて、前記画素の色相の輝度を補間することを特徴とする表示装置。
【請求項５】
請求項２〜４のいずれか１項に記載の表示装置において、前記ライン設定部は、前記ディスプレイラインに基づいて該ディスプレイラインと前記ターゲットラインとの間に前記判別ラインを設定し、前記輝度調整部は、前記ライン設定部により設定された判別ラインをルックアップテーブルとして保持することを特徴とする表示装置。
【請求項６】
請求項２〜４のいずれか１項に記載の表示装置において、前記入力映像信号の輝度ヒストグラムを検出する輝度ヒストグラム検出部を備え、前記ライン設定部は、前記輝度ヒストグラム検出部により検出された輝度ヒストグラムに基づいて前記判別ラインを設定することを特徴とする表示装置。
【発明の詳細な説明】
【技術分野】
【０００１】
本発明は、表示装置に関し、より詳細には、放送信号などが持つ色域よりも広い色域で画像を表示可能な表示装置に関する。
【背景技術】
【０００２】
近年、液晶テレビのような表示装置の光源として、ＬＥＤ（Light Emitting Diode）等の半導体光源を用いる動きが本格化している。また、半導体光源を用いる大きなメリットとして、広い色再現域を持つディスプレイを実現できることがあげられる。これは、半導体光源が鋭いスペクトルを持つことによるもので、例えば、赤・緑・青の三原色に半導体光源を用いた表示装置は、ＣＲＴ（Cathode Ray Tube）ディスプレイや、冷陰極管を用いた液晶ディスプレイなどの従来の画像表示装置に比べて、広い色再現域を持つことが可能である。
【０００３】
また、例えば、デジタル放送（ＨＤＴＶ）の映像信号で表示できる色域は、ITU-R BT.709規格などで規定されている。そして、このITU-R BT.709規格で規定された輝度信号と色差信号とで表現される色域の範囲を超えた色域を表現するための規格の一例として、ｘｖＹＣＣ規格が国際標準規格（ＩＥＣ６１９６６−２−４）によって提案されている。ｘｖＹＣＣ規格の特徴は、ITU-R BT.709規格との互換性を確保しながら、広色域の色を表現するため色空間を広げた点にある。
【０００４】
図７は、広色域に対応した表示装置の色域と映像信号の色域とを示す色度図である。図中、１００は表示装置の色域、１０１は映像信号の色域、Ｗは白の座標を示し、ＤはＷ（白）〜Ｒ（赤）の距離であり、色相“Ｒ（赤）”の彩度に相当する。この色度図は、ｕ′ｖ′色度図（ＣＩＥ１９７６ＵＣＳ色度図）であり、表示装置で表示可能な色域１００と、映像信号の色域として、ｓＲＧＢ標準色空間をｕ′ｖ′色度図上に投影した色域１０１とを示している。なお、本例の映像信号は、ｓＲＧＢ標準色空間内の色を、下記の表１に表される色度座標を持つ赤・緑・青の標準原色成分に分解し、赤・緑・青の各成分の数値で表す標準ＲＧＢ信号であるものとする。
【０００５】
【表１】
0005476108.tif 000002
【０００６】
ここで、色度座標と三刺激値との関係について簡単に説明する。表１におけるｘ及びｙの値は、ｘｙ色度図（ＣＩＥ１９３１色度図）上の座標であり、ＣＩＥ１９３１ＸＹＺ表色系における三刺激値Ｘ，Ｙ，Ｚとは次の関係がある。
【０００７】
【数１】
0005476108.tif 000003
【０００８】
ｕ′ｖ′色度図（ＣＩＥ１９７６ＵＣＳ色度図）での色度座標ｕ′，ｖ′と、ＣＩＥ１９３１ＸＹＺ表色系における三刺激値Ｘ，Ｙ，Ｚとは次の関係がある。
【０００９】
【数２】
0005476108.tif 000004
【００１０】
従って、式（１）と式（２）により、ｓＲＧＢ標準色空間の標準原色と白色のｕ′ｖ′色度座標を算出することができる。また、標準ＲＧＢ信号のＲＧＢ値とＣＩＥ１９３１ＸＹＺ表色系の三刺激値には次の関係がある。但し、式（３）及び式（４）でのＲＧＢ信号値の範囲は０−２５５ではなく、０−１００となるように各ＲＧＢ値に１００／２５５を乗算しておく。
【００１１】
【数３】
0005476108.tif 000005
【００１２】
ここで、映像信号によって定まり、映像信号が表すことができる色全体を表した色空間は例えばｓＲＧＢ標準色空間であり、図７に示すｕ′ｖ′色度図において色域１０１内の色を表すことができる。また、表示装置によって再現可能な色空間は広色域ディスプレイの色空間であり、図７に示すｕ′ｖ′色度図において色域１００を持つ。
【００１３】
図８は、色相Ｒｅｄ（赤）における放送信号の色域、広色域ディスプレイの色域、及び物体色／発光色の境界ラインを示す図である。図中、１０２は広色域ディスプレイの色域、１０３は物体色／発光色の境界ライン、１０４は放送信号の色域を示し、縦軸をＬ＊（輝度）、横軸をＣｕ′ｖ′（彩度）とする。このＣｕ′ｖ′（彩度）は、前述の図７に示したＷ（白）とＲ（赤）との距離Ｄに相当する。なお、広色域ディスプレイの色域１０２及び放送信号の色域１０４の各Ｒ（赤）は、色相“赤”における最大彩度の赤であることを示す。
【００１４】
境界ライン１０３は、主観評価試験に基づいて定めた物体色と発光色の境界となるもので、本明細書ではこの境界ライン１０３をＣＭＩ（Color Mode Index）＝１００と定義するものとする。簡単に説明すると、ＣＭＩ＝１００の境界ラインは、複数人の被験者がある色について物体色に見えるか、あるいは、発光色に見えるかを判定し、主観的に決定したものである。ここでいう物体色とは、光が反射又は透過する物体の色で、光を反射する反射物体と、光を透過する透過物体とが含まれる。また、発光色とは、光源から出る光の色のことをいう。なお、このＣＭＩについては、「M.Okui et al., “Relationship Between Upper-limit Luminance for Surface-color Mode Appearance and Preferred Gamut on Wide Gamut Display”, SID 09 DIGEST, pp.1018-1021」に記載されており、具体的な説明は省略する。
【００１５】
ここで、放送信号の色域１０４は、前述のITU-R BT.709規格で規定されているように狭色域となるが、この狭色域の放送信号を広色域ディスプレイに表示しようとすると、高彩度な物体色（特に赤）がぎらついて不自然に見えてしまうという問題がある。
【００１６】
これについて図８の例に基づいて説明する。狭色域の放送信号を広色域ディスプレイに表示させる際に、広色域ディスプレイの全色域を使用しようとすると、放送信号の色域１０４のＲ（赤）が、境界ライン１０３を超えて、広色域ディスプレイの色域１０２のＲ（赤）にマッピングされてしまう。人間の目には、境界ライン１０３を超える色は発光色として見えるため、本来物体色であったＲ（赤）が発光色のように見えてしまい、視聴者に違和感を与えることになる。
【００１７】
このような問題に対して、例えば、特許文献１には、入力信号を広色再現範囲のディスプレイに表示する際に、色相を調整することで自然な色表現を行う技術が記載されている。また、特許文献２には、入力信号を広色域の出力にマッピングする際に、最明色（物体色の理論限界となる色）を最大彩度とすることで自然な色表現を行う技術が記載されている。
【先行技術文献】
【特許文献】
【００１８】
【特許文献１】特開２００９−１１７９５１号公報
【特許文献２】特開２００８−２７１００１号公報
【発明の概要】
【発明が解決しようとする課題】
【００１９】
しかしながら、特許文献１に記載の技術は、色相を変化させながら彩度を強調して再現するものであり、輝度方向への不自然さを解消するものではなく、また、特許文献２に記載の技術は、最明色を最大彩度にしているために、広色域ディスプレイの色域を有効に利用することができない。
【００２０】
このように、特許文献１，２に記載の技術では、放送信号などが持つ色域よりも広い色域で画像を表示する際に、ディスプレイの広色域を有効に利用しつつ、高彩度な物体色のぎらつき感を抑えることはできない。
【００２１】
本発明は、上述のごとき実情に鑑みてなされたものであり、放送信号などが持つ色域よりも広い色域で画像を表示する際に、ディスプレイの広色域を有効に利用しつつ、高彩度な物体色のぎらつき感を抑え、違和感のない自然な色表現を行うことができる表示装置を提供すること、を目的とする。
【課題を解決するための手段】
【００２２】
上記課題を解決するために、本発明の第１の技術手段は、ITU-R BT.709規格の狭色域空間に対応した入力映像信号を該ITU-R BT.709規格の狭色域空間よりも広色域の色空間にマッピングし、該マッピング後の出力映像信号の輝度を調整する輝度調整部を備えた表示装置であって、該表示装置で表示可能な色空間の範囲を示すディスプレイラインと、前記ITU-R BT.709規格の狭色域空間に対応した入力映像信号に含まれる物体色と発光色の境界を示すターゲットラインと、前記広色域の色空間に対応した出力映像信号に含まれる仮想的な物体色と発光色の境界を示し且つ前記ターゲットラインとは異なる判別ラインとを設定するライン設定部を備え、前記ディスプレイライン、前記ターゲットライン、及び前記判別ラインは、色相毎に輝度と彩度の関数として設定され、前記輝度調整部は、前記出力映像信号を構成する輝度調整前の画素の色相、彩度、及び輝度を検出し、Ｌ′を前記出力映像信号の輝度調整後の画素の輝度、Ｌを前記出力映像信号の輝度調整前の画素の輝度、Ｌ０を任意の彩度のときの前記ディスプレイラインの輝度、Ｌ１を任意の彩度のときの前記判別ラインの輝度、Ｌ２を任意の彩度のときの前記ターゲットラインの輝度としたときに、Ｌ＜Ｌ１である場合、
Ｌ′＝Ｌ×Ｌ２／Ｌ１
に基づいて、Ｌ′がＬ２よりも低くなるように調整し、
また、Ｌ≧Ｌ１である場合、
Ｌ′＝｛（Ｌ−Ｌ１）×（Ｌ０−Ｌ２）／（Ｌ０−Ｌ１）｝＋Ｌ２
に基づいて、Ｌ′がＬよりも低く且つＬ２よりも高くなるように調整することを特徴としたものである。
【００２４】
第２の技術手段は、第１の技術手段において、前記輝度調整部は、前記ディスプレイライン及び前記ターゲットラインをルックアップテーブルとして保持することを特徴としたものである。
【００２５】
第３の技術手段は、第２の技術手段において、前記ディスプレイライン及び前記ターゲットラインは、所定の色相毎に設定されることを特徴としたものである。
【００２６】
第４の技術手段は、第３の技術手段において、前記輝度調整部は、前記画素の色相が前記所定の色相以外であった場合、前記画素の色相に隣接し且つ前記ディスプレイライン及び前記ターゲットラインが設定された２つの色相の輝度を、前記ディスプレイライン、前記ターゲットライン、及び前記判別ラインに基づいて調整し、該調整した前記２つの色相の輝度に基づいて、前記画素の色相の輝度を補間することを特徴としたものである。
【００２７】
第５の技術手段は、第２〜第４のいずれか１の技術手段において、前記ライン設定部は、前記ディスプレイラインに基づいて該ディスプレイラインと前記ターゲットラインとの間に前記判別ラインを設定し、前記輝度調整部は、前記ライン設定部により設定された判別ラインをルックアップテーブルとして保持することを特徴としたものである。
【００２８】
第６の技術手段は、第２〜第４のいずれか１の技術手段において、前記入力映像信号の輝度ヒストグラムを検出する輝度ヒストグラム検出部を備え、前記ライン設定部は、前記輝度ヒストグラム検出部により検出された輝度ヒストグラムに基づいて前記判別ラインを設定することを特徴としたものである。
【発明の効果】
【００２９】
本発明によれば、放送信号などが持つ色域よりも広い色域で画像を表示する際に、ディスプレイの広色域を有効に利用しつつ、高彩度な物体色のぎらつき感を抑え、違和感のない自然な色表現を行うことができる。
【図面の簡単な説明】
【００３０】
【図１】本発明の一実施形態に係る表示装置の構成例を示すブロック図である。
【図２】ライン設定部により設定されるディスプレイライン、ターゲットライン、及び判別ラインの一例について説明するための図である。
【図３】輝度調整部による物体色／発光色の輝度調整方法の一例を説明するための図である。
【図４】中間色相の場合における物体色／発光色の輝度調整方法の一例を説明するための図である。
【図５】ライン設定部による判別ライン５の設定方法の一例を説明するための図である。
【図６】ライン設定部による判別ラインの設定方法の他の例を説明するための図である。
【図７】広色域に対応した表示装置の色域と映像信号の色域とを示す色度図である。
【図８】色相Ｒｅｄ（赤）における放送信号の色域、広色域ディスプレイの色域、及び物体色／発光色の境界ラインを示す図である。
【発明を実施するための形態】
【００３１】
以下、添付図面を参照しながら、本発明の表示装置に係る好適な実施の形態について説明する。
【００３２】
図１は、本発明の一実施形態に係る表示装置の構成例を示すブロック図で、図中、１は表示装置を示す。この表示装置１は、放送信号２をデコードして所定の色空間に対応した入力映像信号を抽出するデコード部１１と、デコード部１１で抽出された入力映像信号を所定の色空間よりも広色域の色空間にマッピングし、マッピング後の出力映像信号の輝度を調整する輝度調整部１２と、輝度調整部１２から出力された出力映像信号に対して各種の映像処理を行う映像処理部１３と、ＬＣＤ（Liquid Crystal Display）などの表示部１４と、入力映像信号から輝度（Ｙ）ヒストグラムを検出するＹヒストグラム検出部１５と、後述するディスプレイライン，ターゲットライン，及び判別ラインを設定するライン設定部１６と、ユーザが表示装置１を操作するための操作部１７とを備える。本発明による表示装置１は、入力映像信号が持つ所定の色空間よりも広色域の色空間による表示を行う広色域ディスプレイである。
【００３３】
輝度調整部１２は、ライン設定部１６で設定されたディスプレイライン、ターゲットライン、及び判別ラインをＬＵＴ（ルックアップテーブル）１２ａとして保持するメモリを備える。
【００３４】
上記において、入力映像信号が持つ色空間は例えばITU-R BT.709規格の狭色域空間であり、表示装置１で再現可能な色空間はこの狭色域空間よりも広い広色域空間である。輝度調整部１２は、狭色域の入力映像信号を広色域の色空間にマッピングして出力映像信号として出力する。また、放送信号２からはＹＣｂＣｒ（Ｙ：輝度、ＣｂＣｒ：色差）信号が取得されるが、このＹＣｂＣｒ信号とＲＧＢ信号とは周知の変換式により相互に変換することができる。
【００３５】
図２は、ライン設定部１６により設定されるディスプレイライン、ターゲットライン、及び判別ラインの一例について説明するための図である。図中、縦軸をＬ＊（輝度）、横軸をＣｕ′ｖ′（彩度）とする。ライン設定部１６は、表示装置１で表示可能な色空間の範囲を示すディスプレイライン３と、入力映像信号に含まれる物体色と発光色の境界を示すターゲットライン４と、出力映像信号に含まれる物体色と発光色を判別するための判別ライン５とを設定する。なお、本明細書におけるディスプレイライン３、ターゲットライン４、及び判別ライン５は、それぞれ境界を区切るためのものであり、その形状について特に限定されるものではない。
【００３６】
図２に示すように、ディスプレイライン３、ターゲットライン４、及び判別ライン５は、色相毎に輝度と彩度の関数として設定される。ディスプレイライン３は、前述の図８における色域１０２に相当し、表示装置１がＬＵＴ１２ａとして予め保持している。また、ターゲットライン４は、例えば、前述の図８における境界ライン１０３（ＣＭＩ＝１００）に相当し、ディスプレイライン３と同様に表示装置１がＬＵＴ１２ａとして予め保持している。
【００３７】
そして、本発明では判別ライン５を新たに設定するようにしている。この判別ライン５は、出力映像信号（すなわち、広色域の色空間にマッピングされた映像信号）に対して仮想的に物体色と発光色とを区別するために設けられたものであり、入力映像信号に含まれる物体色と発光色の境界を示すターゲットライン４とは別に設定される。これにより、出力映像信号の各画素の輝度が判別ライン５より下のものはターゲットライン４より下になるように輝度を調整する。
【００３８】
輝度調整部１２は、狭色域（例えばITU-R BT709規格）に対応した入力映像信号を広色域の色空間にマッピングした後に、このマッピング後の出力映像信号を構成する画素の色相、彩度、及び輝度を検出し、その画素の輝度と判別ライン５とを比較する処理を行う。この処理は各画素について行う。出力映像信号を構成する各画素の色相、彩度、及び輝度は、例えば、出力映像信号のＹＣｂＣｒ信号が持つ値（０〜２５５）をＲＧＢ信号に変換し、さらに、変換後のＲＧＢ信号を周知の変換式を用いてｕ′ｖ′色度座標に変換することで求めることができる。
【００３９】
図２の例では、画素Ｐ１の輝度は判別ライン５よりも高いため発光色と判別され、画素Ｐ２の輝度は判別ライン５よりも低いため物体色と判別される。ここで、前述したように人間の目にはターゲットライン４より下が物体色、また、ターゲットライン４より上が発光色と認識される。そして、ターゲットライン４と判別ライン５との間に輝度を持つ画素は、広色域表示によりターゲットライン４を超えて発光色の領域にマッピングされた物体色の画素であるため、人間の目にはぎらつき感のある不自然な色表示となる。
【００４０】
これを防止するために、輝度調整部１２は、上記画素の輝度が判別ライン５よりも低い物体色の場合、ターゲットライン４及び判別ライン５に基づいて、画素の輝度がターゲットライン４よりも低くなるように調整する。
【００４１】
また、判別ライン５以上の輝度を持つ発光色の画素については輝度調整せずに高輝度のまま維持してもよいが、物体色の画素の輝度をターゲットライン４よりも下げているため、ターゲットライン４と判別ライン５の間で輝度が欠落し、高輝度と低輝度に輝度の分布が偏ってしまうことが考えられる。
【００４２】
このため、上記画素の輝度が判別ライン５以上となる発光色の場合、ディスプレイライン３、ターゲットライン４、及び判別ライン５に基づいて、画素の輝度がその輝度よりも低く且つターゲットライン４よりも高くなるように調整してもよい。これにより、ターゲットライン４と判別ライン５の間での輝度の欠落を防止すると共に、ダイナミックレンジを広げるように調整することができる。具体的には下記の図３で説明するような方法により輝度を調整する。
【００４３】
図３は、輝度調整部１２による物体色／発光色の輝度調整方法の一例を説明するための図である。図中、縦軸をＬ＊（輝度）、横軸をＣｕ′ｖ′（彩度）とし、Ｌは出力映像信号の輝度調整前の画素の輝度、Ｌ′は出力映像信号の輝度調整後の画素の輝度、Ｌ０はある彩度のときのディスプレイライン３の輝度、Ｌ１はある彩度のときの判別ライン５の輝度、Ｌ２はある彩度のときのターゲットライン４の輝度を示す。
【００４４】
１.判別ライン５により物体色（Ｌ＜Ｌ１）と判別された画素Ｐ２の場合、下記の式（５）に基づいてＬ′を計算する。
Ｌ′＝Ｌ×Ｌ２／Ｌ１  …式（５）
２.判別ライン５により発光色（Ｌ≧Ｌ１）と判別された画素Ｐ１の場合、下記の式（６）に基づいてＬ′を計算する。
Ｌ′＝｛（Ｌ−Ｌ１）×（Ｌ０−Ｌ２）／（Ｌ０−Ｌ１）｝＋Ｌ２  …式（６）
【００４５】
なお、上記１.の物体色の中には、元々ターゲットライン４よりも低い輝度を持つものもあるが、輝度のバランスを考慮して、これらの物体色についても式（５）により輝度を下げることが好ましい。
【００４６】
このようにして、狭色域の映像信号を広色域表示する際に、高彩度の物体色の輝度についてはターゲットライン４よりも下げるように調整し、また、発光色の輝度についてはそのまま、あるいは、現在の輝度よりも下げ且つターゲットライン４よりも上げるように調整する。これにより、広色域ディスプレイの色域を有効に利用しつつ、人間の目にとってぎらつき感のない自然な色表示を行うことができる。
【００４７】
図４は、中間色相の場合における物体色／発光色の輝度調整方法の一例を説明するための図である。ディスプレイライン３及びターゲットライン４を各色相に設定するのは、演算処理の負荷が大きいなどの観点から適当とはいえない。このため、これらのディスプレイライン３及びターゲットライン４を、例えば、Ｒ，Ｇ，Ｂ、あるいは、Ｒ，Ｇ，Ｂ，Ｃ，Ｍ，Ｙなどの所定の色相毎に設定し、中間色相の輝度調整については、これらの色相から補間処理により行うようにしてもよい。
【００４８】
この場合、輝度調整部１２は、出力映像信号を構成する画素の色相が所定の色相以外であった場合、画素の色相に隣接し且つディスプレイライン３及びターゲットライン４が設定された２つの色相の輝度を、ディスプレイライン３、ターゲットライン４、及び判別ライン５に基づいて調整し、調整した２つの色相の輝度に基づいて、画素の色相の輝度を補間する。
【００４９】
上記補間処理について図４の例に基づき具体的に説明する。本例では、補間したい画素（補間対象画素）が持つ色相の階調を（ｒ，ｇ，ｂ）とし、この画素の隣接色相を色相Ｒと色相Ｙ（ｒ＞ｇ＞ｂ）とする。色相Ｒ上の点（ｒ，ｂ，ｂ）、色相Ｙ上の点（ｒ，ｒ，ｂ）のそれぞれについて、前述の図３で説明した方法により輝度Ｌ′を計算する。そして、計算で求めた色相Ｒの輝度Ｌ′と、色相Ｙの輝度Ｌ′とに基づいて、補間対象画素の色相の輝度を補間する。例えば、色相Ｒの輝度Ｌ′と、色相Ｙの輝度Ｌ′との間で線形補間することが考えられる。
【００５０】
図５は、ライン設定部１６による判別ライン５の設定方法の一例を説明するための図である。判別ライン５は、ディスプレイライン３に基づいてディスプレイライン３とターゲットライン４との間に設定される。輝度調整部１２は、ライン設定部１６により設定された判別ライン５をＬＵＴ１２ａとして保持する。具体的には、下記の式に基づいて算出する。ここでは色相“赤”を例示して説明する。
Ｌ１＝Ｌ０−ΔＬ  …式（７）
ΔＬ＝Ｌ０×α×Ｃ１／Ｃ０（αは定数）  …式（８）
但し、Ｃ０は色相“赤”の最大彩度、Ｌ０は彩度Ｃ１のときのディスプレイライン３の輝度、Ｌ１は彩度Ｃ１のときの判別ライン５の輝度である。
【００５１】
ユーザが操作部１７を操作して、Ｃｕ′ｖ′の値に応じてＬ＊値を変化させる。そして、色相によりターゲットライン４の傾きが異なるため、判別ライン５も色相によって傾きを変える。具体的には、判別ライン５がディスプレイライン３とターゲットライン４との間に位置するように式（８）の定数αを変化させる。これにより適当な定数αを決定する。この際、画面上で変化の様子を確認しながら設定処理を行うことが好ましい。そして、ある彩度Ｃ１についてΔＬを算出し、式（７）により判別ライン５の輝度Ｌ１を求めることができる。
【００５２】
このようにして、判別ライン５を、例えば、Ｒ，Ｇ，Ｂ、あるいは、Ｒ，Ｇ，Ｂ，Ｃ，Ｍ，Ｙなどの所定の色相毎に設定し、ディスプレイライン３及びターゲットライン４と共にＬＵＴ１２ａとして保持しておく。
【００５３】
図６は、ライン設定部１６による判別ラインの設定方法の他の例を説明するための図である。図６（Ａ）は入力映像信号の輝度（Ｙ）ヒストグラムを示す図であり、縦軸に頻度、横軸に階調（輝度：０〜２５５）を示す。また、図６（Ｂ）はＹヒストグラムにより判別ラインを設定した状態を説明するための図で、図中、５′は判別ラインを示す。本例の場合、表示装置１が備えるＹヒストグラム検出部１５により入力映像信号のＹヒストグラムを検出し、ライン設定部１６は、Ｙヒストグラム検出部１５により検出されたＹヒストグラムに基づいて判別ライン５′を設定する。
【００５４】
図６（Ａ）において、Ｙヒストグラムにおける高輝度領域の任意の箇所に判別ライン５′を設定し、広色域化された出力映像信号に対して、判別ライン５′よりも階調の低い領域を物体色、また、判別ライン５′よりも階調の高い領域を発光色と判別する。この判別ライン５′をＬ＊−Ｃｕ′ｖ′色度図上に表すと、図６（Ｂ）に示すように、直線状に判別ライン５′が設定される。
【００５５】
なお、ディスプレイライン３及びターゲットライン４は、ＬＵＴ１２ａとして保持しておけばよい。以下、物体色／発光色の輝度調整方法は前述の図３で説明した方法と同様であるが、ここでは、高彩度の物体色の輝度（画素Ｐ２，Ｐ３）については式（５）を用いてターゲットライン４よりも下げるように調整し、また、発光色の輝度（画素Ｐ４）については元々高輝度であるためそのままにしている。
【符号の説明】
【００５６】
１…表示装置、２…放送信号、３…ディスプレイライン、４…ターゲットライン、５，５′…判別ライン、１１…デコード部、１２…輝度調整部、１２ａ…ＬＵＴ、１３…映像処理部、１４…表示部、１５…Ｙヒストグラム検出部、１６…ライン設定部、１７…操作部。
【図１】
0005476108.tif 000006
【図２】
0005476108.tif 000007
【図３】
0005476108.tif 000008
【図４】
0005476108.tif 000009
【図５】
0005476108.tif 000010
【図６】
0005476108.tif 000011
【図７】
0005476108.tif 000012
【図８】
0005476108.tif 000013